(57)【要約】【課題】スカートガードを強固に保持し、スカートガードの着脱や運搬等の各種作業を容易に実施することができる乗客コンベアのスカートガード着脱治具を提供する。【解決手段】一端部に固定側挟み部１７が、他端部に固定側グリップ部１８が設けられた基部１５に、その長手に沿ってスライド自在となるようにスライド部１６を設ける。また、基部１５にフック部２２を設けるとともに、スライド部１６の一端部に可動側挟み部２０を、他端部に可動側グリップ部２１を設ける。そして、作業者は、固定側グリップ部１８と可動側グリップ部２１とを一緒に握ってスライド部１６をスライドさせ、固定側挟み部１７と可動側挟み部２０とによってスカートガード６の突出部材を挟み込む。また、この時、スカートガード６の端部をフック部２２の開口内に配置して、スカートガード６が倒れることを防止する。【選択図】図６
2011098796.tif 000002
【特許請求の範囲】
【請求項１】
乗客コンベアのスカートガードを着脱する際に使用されるスカートガード着脱治具であって、
所定の長さを有する基部と、
前記基部に設けられ、前記基部の長手に沿ってスライド自在なスライド部と、
前記基部の一端部に設けられた固定側挟み部と、
前記スライド部の一端部に設けられ、前記固定側挟み部に対向して配置されるとともに、前記スライド部が前記基部に対して一側にスライドすることにより、前記固定側挟み部に接近して、前記固定側挟み部とによって前記スカートガードの裏面に設けられた突出部材を挟み込むことが可能な可動側挟み部と、
前記基部の他端部に設けられた固定側グリップ部と、
前記スライド部の他端部に設けられ、作業者が前記固定側グリップと共に握ることにより、前記スライド部を前記基部に対して一側にスライドさせる可動側グリップ部と、
前記基部に設けられ、前記基部の一端部側に開口するとともに、前記固定側挟み部及び前記可動側挟み部によって前記突出部材が挟み込まれた際に、前記スカートガードの端部が前記開口内に配置されるフック部と、
を備えたことを特徴とする乗客コンベアのスカートガード着脱治具。
【請求項２】
ステップの側方に立設されたスカートガードを取り外す場合に、
前記固定側挟み部は、前記突出部材に上方から接触し、
前記可動側挟み部は、前記突出部材に下方から接触し、
前記フック部は、前記開口内に、前記スカートガードの上端部が下方から配置される
ことを特徴とする請求項１に記載の乗客コンベアのスカートガード着脱治具。
【請求項３】
前記固定側挟み部及び前記可動側挟み部は、前記突出部材に接触する部分がゴム製であることを特徴とする請求項１又は請求項２に記載の乗客コンベアのスカートガード着脱治具。
【発明の詳細な説明】
【技術分野】
【０００１】
この発明は、乗客コンベアのスカートガードを着脱する際に使用されるスカートガード着脱治具に関するものである。
【背景技術】
【０００２】
エスカレーターや動く歩道といった乗客コンベアでは、保守や点検、改修等を行う際に、ステップの側方に設けられたスカートガードを取り外すことがある。
【０００３】
スカートガードの着脱時に使用される着脱治具の従来技術として、例えば、下記特許文献１に記載されたものがある。この着脱治具は、作業者が把持するための把持部と湾曲状のフック部とを備えており、上記フック部をスカートガードの裏面補強に引っ掛けることによって、スカートガードを保持するように構成されている。
【先行技術文献】
【特許文献】
【０００４】
【特許文献１】特開２００７−２３０７００号公報
【発明の概要】
【発明が解決しようとする課題】
【０００５】
特許文献１に記載された着脱治具では、スカートガードを保持している間、フック部が裏面補強に引っ掛かっているだけであり、その保持力が弱いという問題があった。このため、スカートガードの着脱時や運搬時にスカートガードが着脱治具から外れ易く、作業者は、着脱治具を持っている手とは反対の手によってスカートガードを支えなければならなかった。
また、スカートガードの着脱や運搬に複数の作業者が必要になり（特許文献１の図７参照）、作業性が悪化するといった問題もあった。
【０００６】
この発明は、上述のような課題を解決するためになされたもので、その目的は、スカートガードを強固に保持し、スカートガードの着脱や運搬等の各種作業を容易に実施することができる乗客コンベアのスカートガード着脱治具を提供することである。
【課題を解決するための手段】
【０００７】
この発明に係る乗客コンベアのスカートガード着脱治具は、乗客コンベアのスカートガードを着脱する際に使用されるスカートガード着脱治具であって、所定の長さを有する基部と、基部に設けられ、基部の長手に沿ってスライド自在なスライド部と、基部の一端部に設けられた固定側挟み部と、スライド部の一端部に設けられ、固定側挟み部に対向して配置されるとともに、スライド部が基部に対して一側にスライドすることにより、固定側挟み部に接近して、固定側挟み部とによってスカートガードの裏面に設けられた突出部材を挟み込むことが可能な可動側挟み部と、基部の他端部に設けられた固定側グリップ部と、スライド部の他端部に設けられ、作業者が固定側グリップと共に握ることにより、スライド部を基部に対して一側にスライドさせる可動側グリップ部と、基部に設けられ、基部の一端部側に開口するとともに、固定側挟み部及び可動側挟み部によって突出部材が挟み込まれた際に、スカートガードの端部が開口内に配置されるフック部と、を備えたものである。
【発明の効果】
【０００８】
この発明によれば、スカートガードを強固に保持し、スカートガードの着脱や運搬等の各種作業を容易に行うことができるようになる。
【図面の簡単な説明】
【０００９】
【図１】乗客コンベアの全体構成を示す側面図である。
【図２】図１のＡ−Ａ矢視を示す図である。
【図３】この発明の実施の形態１における乗客コンベアのスカートガード着脱治具を示す正面図である。
【図４】この発明の実施の形態１における乗客コンベアのスカートガード着脱治具を示す側面図である。
【図５】この発明の実施の形態１における乗客コンベアのスカートガード着脱治具の使用方法を説明するための図である。
【図６】この発明の実施の形態１における乗客コンベアのスカートガード着脱治具の使用方法を説明するための図である。
【発明を実施するための形態】
【００１０】
この発明をより詳細に説明するため、添付の図面に従ってこれを説明する。なお、各図中、同一又は相当する部分には同一の符号を付しており、その重複説明は適宜に簡略化ないし省略する。
【００１１】
実施の形態１．
図１は乗客コンベアの全体構成を示す側面図、図２は図１のＡ−Ａ矢視を示す図である。先ず、図１及び図２に基づき、乗客コンベアの具体的な構成について説明する。また、以下においては、乗客コンベアの一例として上下階床間の移動の際に利用されるエスカレーターについて具体的に説明し、動く歩道等の他の例については、その説明を省略する。
【００１２】
図１及び図２において、１は上下階床間に架け渡されたエスカレーターの主枠、２はエスカレーターの利用者が上下階床間を移動する際に乗るステップ、３はステップ２と同期するように駆動される移動手摺、４はガラスパネル等からなる内側板（欄干）、５はステップ２や移動手摺３を駆動するための駆動電動機である。
【００１３】
６はスカートガードであり、利用者が乗る往路側のステップ２の両側方に設けられている。このスカートガード６は、例えば、ステンレスパネル等の板状部材からなり、移動するステップ２の各側面とそれぞれ僅かな間隙を有して対向するように立設される。また、スカートガード６は、複数枚がステップ２の走行方向に合わせて連続的に配置されることにより、上下乗降口間に渡って設置される。
【００１４】
各スカートガード６には、その裏面（ステップ２に対向する側面とは反対側の側面）に、補強部材７とクリップ８とが設けられている。
補強部材７は、板状からなるスカートガード６の補強用及び固定用に備えられたものであり、例えば、横断面コ字状を呈する長尺の金属部材から構成される。この補強部材７は、溶接等によってスカートガード６の裏面に固定されている。また、補強部材７は、スカートガード６の裏面から水平方向に突出する上縁部（突出部材）が、主枠１に固定された取付金９に、ボルト及びナット等からなる固定手段１０を用いて固定されている。
【００１５】
クリップ８は、スカートガード６の固定用に備えられたものである。このクリップ８は、例えば、弾性変形が可能な板状部材からなり、その上端部がスカートガード６の裏面に溶接等によって固定されている。即ち、主枠１には、取付金１１を介してＬ字金１２が固定されており、上記クリップ８は、このＬ字金１２の上向き端部をスカートガード６と共に挟み込む（スカートガード６側に押し付ける）ことにより、スカートガード６の下部を主枠１に対して固定する。なお、クリップ８は、補強部材７よりも下方に配置されている。
【００１６】
また、図２に示す１３はスカートガード６の上端部と内側板４との間を覆うインナーデッキ、１４は内側板４の外側に配置された主枠１等の部材を覆うアウターデッキである。インナーデッキ１３及びアウターデッキ１４は、例えば、化粧材等によって構成される。
【００１７】
次に、図３乃至図６も参照し、上記構成を有するスカートガード６を着脱するための着脱治具について具体的に説明する。なお、図３はこの発明の実施の形態１における乗客コンベアのスカートガード着脱治具を示す正面図、図４はこの発明の実施の形態１における乗客コンベアのスカートガード着脱治具を示す側面図、図５及び図６はこの発明の実施の形態１における乗客コンベアのスカートガード着脱治具の使用方法を説明するための図である。
【００１８】
図３及び図４に示す着脱治具は、エスカレーターの保守や点検、改修時に、作業者が、スカートガード６を着脱及び運搬するために使用するものである。この着脱治具は、基部１５とスライド部１６とによりその要部が構成されている。
【００１９】
基部１５は、例えば、その要部が所定の長さを有する部材からなり、一端部に固定側挟み部１７が、他端部に固定側グリップ部１８が設けられている。固定側挟み部１７は、スカートガード６を保持する際に、スカートガード６の裏面から突出する部材（本実施の形態においては、補強部材７の上縁部）に接触する部分であり、少なくとも上記突出部材に接触する部分がゴム製で構成される。また、上記固定側グリップ部１８は、スカートガード６を保持する時に作業者が握る部分の一部を構成する。
【００２０】
スライド部１６は、その要部が所定の長さを有する部材からなり、基部１５の長手に沿ってスライド自在となるように、基部１５に設けられている。このスライド部１６は、基部１５の一側面に設けられたスライド案内部１９により、そのスライド方向が案内されている。
【００２１】
また、上記スライド部１６には、一端部に可動側挟み部２０が、他端部に可動側グリップ部２１が設けられている。可動側挟み部２０は、スカートガード６を保持する際に、スカートガード６の突出部材に対して固定側挟み部１７の反対側から接触する部分である。この可動側挟み部２０は、固定側挟み部１７に対して外側から対向するように配置されており、スライド部１６が基部１５の他端部側にスライドすることにより、固定側挟み部１７との間隔が狭まるように、即ち、固定側挟み部１７に接近するように移動する。なお、可動側挟み部２０は、少なくとも上記突出部材に接触する部分がゴム製で構成されている。
【００２２】
可動側グリップ部２１は、スカートガード６を保持する際に作業者が握る部分の他部を構成し、固定側グリップ部１８よりも基部１５の一端部側に配置されている。即ち、作業者が固定側グリップ部１８と共に可動側グリップ部２１を握ることにより、固定側グリップ部１８に接近するように可動側グリップ部２１が移動し、スライド部１６が基部１５に対してその他端部側にスライドする。
【００２３】
また、２２は基部１５に設けられたフック部である。フック部２２は、例えば、横断面Ｌ字状の所定の幅を有する板状部材からなり、基部１５の一端部側に開口するように、基部１５の他側面に固定されている。このフック部２２は、スカートガード６を保持する際に、スカートガード６の所定の端部を係止する機能を有している。即ち、フック部２２は、上記突出部分が固定側挟み部１７と可動側挟み部２０とによって挟み込まれた際に、スカートガード６の端部が上記開口内に配置されるように、その取付位置及び取付向き等が設定されている。
【００２４】
次に、エスカレーターの保守時に、作業者が上記構成の着脱治具を使用してスカートガード６を着脱する際の動作について説明する。
ステップ２の側方に立設されたスカートガード６（図２参照）を取り外す場合、作業者は、先ず、ステップ２上からインナーデッキ１３を取り外し、補強部材７と取付金９との固定を解除する。次に、インナーデッキ１３を取り外したことによって形成された空間から上記構成の着脱治具を挿入し、固定側挟み部１７を補強部材７の上縁部上面に接触させる。この時、可動側挟み部２０が補強部材７の上縁部の下方に配置されるようにする。また、スカートガード６の上端部が、フック部２２の開口内に下方から配置されるようにする。
【００２５】
着脱治具を上記状態に配置した後、作業者は、固定側グリップ部１８と可動側グリップ部２１とを一緒に握り締め、着脱治具をスカートガード６に固定する。即ち、スライド部１６が基部１５に対して他端部側に移動することにより、可動側挟み部２０が上方に移動して、可動側挟み部２０の上面が補強部材７の上縁部下面に接触する。そして、かかる状態から作業者が更に力を加えて握り締めることにより、補強部材７の上縁部が固定側挟み部１７と可動側挟み部２０とによって上下から挟み込まれ、着脱治具がスカートガード６に固定される。なお、作業者は、固定側挟み部１７が補強部材７の上縁部上面に押し付けられるように力を加えながら上記操作を行うことにより、フック部２２がスカートガード６の上端部から外れることなく、着脱治具をスカートガード６に固定することができる。
【００２６】
着脱治具をスカートガード６に固定した後、作業者は、固定側グリップ部１８と可動側グリップ部２１とを一緒に握り締めたまま、着脱治具を上方に移動させる。すると、上記操作によってクリップ８がＬ字金１２から外れ、スカートガード６全体を主枠１から取り外すことができる。
【００２７】
なお、スカートガード６を主枠１に取り付ける場合は、上記と逆の手順によって作業を行えば良い。
【００２８】
この発明の実施の形態１によれば、上記着脱治具によってスカートガード６を強固に保持することができ、エスカレーターの保守や点検、改修等を行う際に、スカートガード６の着脱や運搬等の各種作業を容易に行うことができるようになる。
【００２９】
即ち、上記構成の着脱治具であれば、固定側挟み部１７と可動側挟み部２０とによって補強部材７の上縁部を上下から強固に挟み込むことができ、その運搬中に、スカートガード６が着脱治具からずり落ちたりすることを確実に防止できる。なお、固定側挟み部１７と可動側挟み部２０とをゴム製で構成することにより、上記効果を確実なものとすることができる。また、固定側挟み部１７と可動側挟み部２０とによって補強部材７の上縁部を挟持した際に、スカートガード６の上端部がフック２２に引っ掛かった状態となるため、その運搬中にスカートガード６が傾いて着脱治具を持つ作業者に無理な力が作用したり、スカートガード６が落下したりすることも確実に防止できる。
【００３０】
なお、上記構成の着脱治具を使用すれば、スカートガード６の着脱や運搬を一人で実施することも可能である。このため、上記着脱治具は、作業領域を確保し難い幅狭（１人乗り）エスカレーターにおいて保守等を行う場合に、特に有効な手段となり得る。
【符号の説明】
【００３１】
１  主枠
２  ステップ
３  移動手摺
４  内側板
５  駆動電動機
６  スカートガード
７  補強部材
８  クリップ
９、１１  取付金
１０  固定手段
１２  Ｌ字金
１３  インナーデッキ
１４  アウターデッキ
１５  基部
１６  スライド部
１７  固定側挟み部
１８  固定側グリップ部
１９  スライド案内部
２０  可動側挟み部
２１  可動側グリップ部
２２  フック部
【図１】
2011098796.tif 000003
【図２】
2011098796.tif 000004
【図３】
2011098796.tif 000005
【図４】
2011098796.tif 000006
【図５】
2011098796.tif 000007
【図６】
2011098796.tif 000008